(57)【要約】      （修正有）【課題】衣服に適しかつ様々な夜間環境で確実に発光可能な発光ボタンモジュールを提供する。【解決手段】発光ボタンモジュールは、給電手段１０と、給電手段に電気的に接続された導電伝送手段２０と、導電伝送手段に接続された少なくとも一つの発光ボタン３０とを含み、発光ボタンは、ボタン本体３００と、基板３０１と、発光素子３０２とを有し、ボタン本体は、ボタン本体を貫通する収納溝３０３と、ボタン本体に環設するとともに収納溝を囲むボタン穴係合溝３０４とを有し、基板が導電伝送手段に電気的に接続され、発光素子が基板に結合して収納溝に収納されている。【選択図】図１
0003188627.tif 000002
【実用新案登録請求の範囲】
【請求項１】
給電手段と、
前記給電手段に電気的に接続された導電伝送手段と、
前記導電伝送手段に接続された少なくとも一つの発光ボタンと、を含み、
前記発光ボタンは、ボタン本体と、基板と、発光素子と、を有し、
前記ボタン本体は、前記ボタン本体を貫通する収納溝と、前記ボタン本体に環設するとともに前記収納溝を囲むボタン穴係合溝とを有し、
前記基板は、前記ボタン本体に設けかつ前記導電伝送手段に電気的に接続され、
前記発光素子は、前記基板に結合して前記収納溝に収納されることを特徴とする、発光ボタンモジュール。
【請求項２】
さらに、前記発光ボタンと前記導電伝送手段との接続箇所を覆う封止部材を含むことを特徴とする請求項１記載の発光ボタンモジュール。
【請求項３】
前記収納溝に光学レンズが封止されていることを特徴とする請求項１記載の発光ボタンモジュール。
【請求項４】
前記光学レンズは凸レンズであることを特徴とする請求項３記載の発光ボタンモジュール。
【請求項５】
前記光学レンズは凹レンズであることを特徴とする請求項３記載の発光ボタンモジュール。
【請求項６】
さらに、第１結合部を有する外接部材を含み、前記ボタン本体は、さらに、前記第１結合部に対応して配置される第２結合部を有し、前記第１結合部と前記第２結合部とが着脱可能に対応結合されていることを特徴とする請求項１記載の発光ボタンモジュール。
【請求項７】
前記発光素子は発光ダイオードであることを特徴とする請求項１記載の発光ボタンモジュール。
【請求項８】
前記導電伝送手段は導電性織物であることを特徴とする請求項１記載の発光ボタンモジュール。
【請求項９】
さらに、前記給電手段と前記導電伝送手段との間に電気的に接続された制御手段を含むことを特徴とする請求項１記載の発光ボタンモジュール。
【考案の詳細な説明】
【技術分野】
【０００１】
本考案は、発光ボタンに関る。特に、衣服に用いる発光ボタンモジュールに関する。
【背景技術】
【０００２】
衣服は、人の生活に欠かせない必需品であり、衣服は身に付けてから常に人の移動に伴って移動されるため、衣服上の顕著な認識物によって人の存在や活動様子を即時に視認することができる。
例えば、夜間の作業員は、発光効果のある衣服または備品を着用すると、その暗闇における所在位置または反応動きが明らかに認識され、人員の作業安全性を確保することができる。
これらの発光技術は、夜間の路上作業や清掃の作業員に最も使われており、反射効果のある服を着る、またはつけることにより、相当の距離内においてドライバーにいち早く認識され相応の措置を直ちに取ることができるため、路上での交通事故の発生を避けられる。
【０００３】
上記した従来の受動型反射服の使用は、安全性や視認性の効果があるが、安全効果は環境の違いや保護しようとする人員の差異によって安全性上の欠失がなお残されている。
例えば、当該受動型反射服が光線の照射の下でその反射効果を果たすことができるが、自動車が高速に走行している場合には、照射の瞬間で反射物が発見される反応距離が短すぎたり、または様々な照射の届かない／足りない環境であったりする状況であれば、衝突される可能性がなお残されている。
そのため、単に衣服につける受動反射技術の使用は、様々な環境状態における保護の要求には満足できない。
【０００４】
これに鑑みて、従来の着る服が、夜間における安全使用上の欠点およびその構造設計上の好ましくない事実に対し、本考案者は、専念に研究や設計、組み立てをし、衣服に適しかつ様々な夜間環境で自主反応して確実に発光可能な効果のある発光ボタンモジュールの提供を図ることを、本考案の目的とする。
【考案の概要】
【考案が解決しようとする課題】
【０００５】
本考案は、その主な目的として、衣服に用いる発光モジュールを提供することにあり、特に発光ボタンモジュールに関する。
【課題を解決するための手段】
【０００６】
前記目的を達成するために、本考案に係る発光ボタンモジュールは、給電手段と、前記給電手段に電気的に接続された導電伝送手段と、前記導電伝送手段に接続された少なくとも一つの発光ボタンとを含み、前記発光ボタンは、ボタン本体と、基板と、発光素子とを有し、前記ボタン本体は、前記ボタン本体を貫通する収納溝と、前記ボタン本体に環設するとともに前記収納溝を囲むボタン穴係合溝とを有し、前記基板が前記ボタン本体に設けかつ前記導電伝送手段に電気的に接続され、前記発光素子が前記基板に結合して前記収納溝に収納されている。
【０００７】
上記のような発光ボタンモジュールは、さらに、前記発光ボタンと前記導電伝送手段との接続箇所を覆う封止部材を含む。
【０００８】
上記のような発光ボタンモジュールでは、前記収納溝に光学レンズが封止されている。
【０００９】
上記のような発光ボタンモジュールでは、前記光学レンズは凸レンズである。
【００１０】
上記のような発光ボタンモジュールでは、前記光学レンズは凹レンズである。
【００１１】
上記のような発光ボタンモジュールは、さらに、第１結合部を有する外接部材を含み、前記ボタン本体は、さらに、前記第１結合部に対応して配置される第２結合部を有し、前記第１結合部と前記第２結合部とが着脱可能に対応結合されている。
【００１２】
上記のような発光ボタンモジュールでは、前記発光素子は発光ダイオードである。
【００１３】
上記のような発光ボタンモジュールでは、前記導電伝送手段は導電性織物である。
【００１４】
上記のような発光ボタンモジュールは、さらに、前記給電手段と前記導電伝送手段との間に電気的に接続された制御手段を含む。
【図面の簡単な説明】
【００１５】
【図１】本考案に係る発光ボタンモジュールの第１実施例の分解斜視図である。
【図２】本考案に係る発光ボタンモジュールの第１実施例の組立斜視図である。
【図３】本考案に係る発光ボタンモジュールの第１実施例の使用状態を示す図である。
【図４】本考案に係る発光ボタンモジュールの第２実施例の断面図である。
【図５】本考案に係る発光ボタンモジュールの第２実施例の断面図である。
【図６】本考案に係る発光ボタンモジュールの第２実施例の断面図である。
【図７】本考案に係る発光ボタンモジュールの第３実施例の断面図である。
【図８】本考案に係る発光ボタンモジュールの第３実施例の斜視図である。
【図９】本考案に係る発光ボタンモジュールの第４実施例の模式図である。
【図１０】本考案に係る発光ボタンモジュールの第５実施例の断面図である。
【考案を実施するための形態】
【００１６】
本考案の特徴、特点および技術的内容をより深く理解するために、以下の本考案に係る詳細説明および添付図面を参照されたいが、前記添付図面は参考や説明のために供されるにすぎず、本考案を限定するものではない。
【実施例】
【００１７】
図１及び図２を同時に参照する。
図１は、本考案に係る発光ボタンモジュールの第１実施例の分解斜視図であり、図２は、本考案に係る発光ボタンモジュールの第１実施例の組立斜視図である。
【００１８】
図１に示すように、本考案に係る発光ボタンモジュールは、給電手段１０と、給電手段１０に電気的に接続された導電伝送手段２０と、導電伝送手段２０に接続された少なくとも一つの発光ボタン３０とを含む。
【００１９】
導電伝送手段２０は、導電性織物、フラットケーブルなどの軟性導電および伝送用の部材であってよい。
【００２０】
発光ボタン３０は、ボタン本体３００と、基板３０１と、発光素子３０２とを有し、ボタン本体３００は、ボタン本体３００を貫通する収納溝３０３と、ボタン本体３００に環設されるとともに収納溝３０３を囲むボタン穴係合溝３０４とを有する。
【００２１】
基板３０１は、ボタン本体３００に設けかつ導電伝送手段２０に電気的に接続され、発光素子３０２が基板３０１に結合して収納溝３０３に収納される。
【００２２】
発光素子３０２は、例えば発光ダイオードなどの光源を用いてよい。
【００２３】
図２に示すように、本実施例では、導電伝送手段２０に５つの発光ボタン３０が間隔をおいて設けられ、それぞれの発光ボタン３０は導電伝送手段２０によって給電手段１０に電気的に接続されている。
【００２４】
さらに、図３は、本考案に係る発光ボタンモジュールの第１実施例の使用状態を示す図である。
図３を参照すると、本考案の発光ボタンモジュールが衣服に用いられるとき、服上のボタン穴に合わせて発光ボタン３０のボタン穴係合溝３０４をボタン穴に係合するだけで済み、服上に対応する係合構造を別に配置する必要がなくなる。
【００２５】
さらに、衣服４０に当該発光ボタンモジュールを設置する位置を変えようとする場合には、設置すべき位置にボタン穴を開設すれば、本考案の発光ボタンモジュールを衣服４０に対応して係合させることができる。
【００２６】
図４、図５、図６は、本考案に係る発光ボタンモジュールの第２実施例の断面図である。
図４に示すように、本考案に係る発光ボタンモジュールの第２実施例では、発光ボタン３０は、ボタン本体３００と、基板３０１と、発光素子３０２とを有する。
【００２７】
ボタン本体３００は、ボタン本体３００を貫通する収納溝３０３と、ボタン本体３００に環設されるとともに収納溝３０３を囲むボタン穴係合溝３０４とを有する。
基板３０１がボタン本体３００に設けかつ導電伝送手段２０に電気的に接続され、発光素子３０２が基板３０１に結合して収納溝３０３に収納されている。
【００２８】
光学レンズ５０は、収納溝３０３内に封止され、光学レンズ５０は、図５に示す凹レンズ５０ａまたは図５に示す凸レンズ５０ｂであってよく、霧鏡などのような特殊効果を有する光学レンズであってもよい。
【００２９】
図７は、本考案に係る発光ボタンモジュールの第３実施例の断面図である。
図７に示すように、本考案に係る発光ボタンモジュールの第３実施例では、さらに、第１結合部６００を有する外接部材６０を含み、ボタン本体３００は、さらに、第１結合部６００に対応して配置される第２結合部３０５を有し、第１結合部６００と第２結合部３０５とが着脱可能に対応結合されている。
【００３０】
図８は、本考案に係る発光ボタンモジュールの第３実施例の斜視図である。
図８に示すように、外接部材６０の外形は、必要に応じて所要の外見、例えば、本実施例における王冠のような外形を作製することで、使用上の美観性を高める。
また、集光または光の出射方向を調整する効果を与えるように、外接部材６０を弧形断面のある集光面に作製してもよく、かつ、外接部材６０がボタン本体３００に着脱可能に結合されることで、使用時に必要に応じて早く変換することができる。
【００３１】
図９は、本考案に係る発光ボタンモジュールの第４実施例の模式図である。
図９に示すように、本考案に係る発光ボタンモジュールの第４実施例では、さらに、給電手段１０と導電伝送手段２０との間に電気的に接続された制御手段７０を含み、制御手段７０は、発光ボタン３０の開閉を制御することができ、例えば、制御手段７０は制御回路であって、これらの発光ボタン３０の点滅頻度、速度、順次などの情報が記憶されており、これによってこれらの発光ボタン３０を制御することができる。
【００３２】
図１０は、本考案に係る発光ボタンモジュールの第５実施例の模式図である。
図１０に示すように、本考案に係る発光ボタンモジュールの第５実施例では、さらに、発光ボタン３０と導電伝送手段２０とをより密接させるために、発光ボタン３０と導電伝送手段２０との接続箇所を覆う封止部材８０を含む。
【００３３】
以上のように、単に本考案の好ましい実施例にすぎず、本考案の実用新案登録請求の範囲を限定するものではなく、いずれの本考案の明細書および図面の内容によって実施した等価な変形が、本考案の主張範囲内に納入されるべきことは言うまでもないことである。
【符号の説明】
【００３４】
１０    給電手段
２０    導電伝送手段
３０    発光ボタン
４０    衣服
５０    光学レンズ
５０ａ  凹レンズ
５０ｂ  凸レンズ
６０    外接部材
７０    制御手段
８０    封止部材
３００  ボタン本体
３０１  基板
３０２  発光素子
３０３  収納溝
３０４  ボタン穴係合溝
３０５  第２結合部
６００  第１結合部
【図１】
0003188627.tif 000003
【図２】
0003188627.tif 000004
【図３】
0003188627.tif 000005
【図４】
0003188627.tif 000006
【図５】
0003188627.tif 000007
【図６】
0003188627.tif 000008
【図７】
0003188627.tif 000009
【図８】
0003188627.tif 000010
【図９】
0003188627.tif 000011
【図１０】
0003188627.tif 000012